(57)【要約】【課題】異なるネットワークに設けられた複数の仲介装置を用いて、管理対象となる移動可能な電子機器の管理情報を管理することを容易にする機器管理装置を提供する。【解決手段】機器管理装置は、異なるネットワークに設けられた複数の仲介装置を用いて、管理対象となる電子機器の管理情報を管理する機器管理装置であって、第１の仲介装置から、前記第１の仲介装置が管理情報を有していない電子機器の識別情報を含む検知情報を受信する検知情報受信部と、前記検知情報受信部が受信した前記検知情報に含まれる前記電子機器の識別情報を用いて、前記電子機器の管理情報を管理する第２の仲介装置を特定する特定部と、前記特定部が特定した前記第２の仲介装置から取得した前記電子機器の管理情報を、前記第１の仲介装置に通知する管理情報通知部と、を有する。【選択図】図６
2018005277.tif 000002
【特許請求の範囲】
【請求項１】
異なるネットワークに設けられた複数の仲介装置を用いて、管理対象となる電子機器の管理情報を管理する機器管理装置であって、
第１の仲介装置から、前記第１の仲介装置が管理情報を有していない電子機器の識別情報を含む検知情報を受信する検知情報受信部と、
前記検知情報受信部が受信した前記検知情報に含まれる前記電子機器の識別情報を用いて、前記電子機器の管理情報を管理する第２の仲介装置を特定する特定部と、
前記特定部が特定した前記第２の仲介装置から取得した前記電子機器の管理情報を、前記第１の仲介装置に通知する管理情報通知部と、
を有する機器管理装置。
【請求項２】
前記特定部が特定した前記第２の仲介装置から、前記電子機器の管理情報を取得する管理情報取得部を有する請求項１に記載の機器管理装置。
【請求項３】
前記複数の仲介装置から、前記機器管理装置が管理する１つ以上の電子機器の管理情報を取得して、管理する第１の機器管理部を有する請求項１又は２に記載の機器管理装置。
【請求項４】
請求項１乃至３のいずれか一項に記載の機器管理装置、及び前記機器管理装置の管理対象となる電子機器と通信可能な仲介装置であって、
前記仲介装置と通信可能な電子機器のうち、前記仲介装置が管理情報を有していない一の電子機器の識別情報を含む検知情報を、前記機器管理装置に送信する検知情報送信部と、
前記機器管理装置から通知される前記一の電子機器の管理情報を記憶する記憶部と、
前記仲介装置が、前記一の電子機器の管理情報を管理する仲介装置となったことを示す変更情報を前記一の電子機器に通知する第２の機器管理部と、
を有する仲介装置。
【請求項５】
前記仲介装置は、
前記一の電子機器から、前記一の電子機器を管理する他の仲介装置と通信できないことを示す状態情報を受信した場合、前記一の電子機器の識別情報を含む検知情報を前記機器管理装置に送信する請求項４に記載の仲介装置。
【請求項６】
前記仲介装置は、
前記仲介装置と通信可能な１つ以上の電子機器から、該電子機器の情報を取得し、前記仲介装置が管理情報を有していない前記一の電子機器を検知した場合、前記一の電子機器の識別情報を含む検知情報を前記機器管理装置に送信する請求項４に記載の仲介装置。
【請求項７】
請求項１乃至３のいずれか一項に記載の機器管理装置の管理対象となる電子機器であって、
前記電子機器の管理情報を管理する仲介装置の情報を記憶する記憶部と、
前記電子機器と通信可能な仲介装置と通信する通信部と、
前記電子機器の管理情報を管理する仲介装置と通信できない場合、前記電子機器と通信可能な仲介装置に前記電子機器の識別情報を含む状態情報を送信する状態情報送信部と、
を有する電子機器。
【請求項８】
請求項１乃至３のいずれか一項に記載の機器管理装置と、
請求項４乃至６のいずれか一項に記載の仲介装置と、
請求項７に記載の電子機器と、
を含む機器管理システム。
【請求項９】
異なるネットワークに設けられた複数の仲介装置を用いて、管理対象となる電子機器の管理情報を管理する機器管理装置による機器管理方法であって、
前記機器管理装置が、
第１の仲介装置から、前記第１の仲介装置が管理情報を有していない電子機器の識別情報を含む検知情報を受信するステップと、
前記受信した前記検知情報に含まれる前記電子機器の識別情報を用いて、前記電子機器の管理情報を管理する第２の仲介装置を特定するステップと、
前記特定した前記第２の仲介装置から取得した前記電子機器の管理情報を、前記第１の仲介装置に通知するステップと、
を含む機器管理方法。
【請求項１０】
異なるネットワークに設けられた複数の仲介装置を用いて、管理対象となる電子機器の管理情報を管理する機器管理装置に、
第１の仲介装置から、前記第１の仲介装置が管理情報を有していない電子機器の識別情報を含む検知情報を受信するステップと、
前記受信した前記検知情報に含まれる前記電子機器の識別情報を用いて、前記電子機器の管理情報を管理する第２の仲介装置を特定するステップと、
前記特定した前記第２の仲介装置から取得した前記電子機器の管理情報を、前記第１の仲介装置に通知するステップと、
を実行させるためのプログラム。
【発明の詳細な説明】
【技術分野】
【０００１】
本発明は、機器管理装置、仲介装置、電子機器、機器管理システム、機器管理方法、及びプログラムに関する。
【背景技術】
【０００２】
管理対象となる電子機器の管理情報を、仲介装置を利用して管理する機器管理システムが知られている。
【０００３】
また、プロジェクタが、起動時に自己を管理している仲介装置のＩＰアドレスを機器管理装置から取得し、取得したＩＰアドレスを用いて、プロジェクタが起動したことを仲介装置に通知する機器管理システムが知られている（例えば、特許文献１参照）。
【発明の概要】
【発明が解決しようとする課題】
【０００４】
特許文献１に開示された機器管理システムにより、同じネットワーク内において、持ち運びが可能なプロジェクタ等の電子機器の管理情報を管理することが容易になる。
【０００５】
しかし、プロジェクタ等の持ち運びが可能な電子機器は、移動先で別のネットワークに接続される場合がある。このような場合、電子機器は、機器管理装置や自己を管理している仲介装置等と通信することができないため、機器管理システムが電子機器の管理情報を管理することは困難になる。
【０００６】
このように、従来の技術では、異なるネットワークに設けられた複数の仲介装置を用いて、管理対象となる移動可能な電子機器の管理情報を管理することには困難を伴っていた。
【０００７】
本発明の実施の形態は、上記の問題点に鑑みてなされたものであって、異なるネットワークに設けられた複数の仲介装置を用いて、管理対象となる移動可能な電子機器の管理情報を管理することを容易にする機器管理装置を提供することを目的とする。
【課題を解決するための手段】
【０００８】
上記課題を解決するため、本発明の一実施形態に係る機器管理装置は、異なるネットワークに設けられた複数の仲介装置を用いて、管理対象となる電子機器の管理情報を管理する機器管理装置であって、第１の仲介装置から、前記第１の仲介装置が管理情報を有していない電子機器の識別情報を含む検知情報を受信する検知情報受信部と、前記検知情報受信部が受信した前記検知情報に含まれる前記電子機器の識別情報を用いて、前記電子機器の管理情報を管理する第２の仲介装置を特定する特定部と、前記特定部が特定した前記第２の仲介装置から取得した前記電子機器の管理情報を、前記第１の仲介装置に通知する管理情報通知部と、を有する。
【発明の効果】
【０００９】
本発明の一実施形態によれば、異なるネットワークに設けられた複数の仲介装置を用いて、管理対象となる移動可能な電子機器の管理情報を管理することを容易にする機器管理装置を提供することができる。
【図面の簡単な説明】
【００１０】
【図１】一実施形態に係る機器管理システムの構成例を示す図（１）である。
【図２】一実施形態に係る機器管理システムの構成例を示す図（２）である。
【図３】一実施形態に係る機器管理装置のハードウェア構成例を示す図である。
【図４】一実施形態に係る仲介装置のハードウェア構成の例を示す図である。
【図５】一実施形態に係るプロジェクタのハードウェア構成の例を示す図である。
【図６】一実施形態に係る機器管理システムの機能構成の例を示す図である。
【図７】一実施形態に係る機器管理システムが管理する情報の例を示す図である。
【図８】第１の実施形態に係る機器管理システムの処理の例を示すシーケンス図である。
【図９】第１の実施形態に係るプロジェクタの処理の例を示すフローチャートである。
【図１０】第１の実施形態に係る第１の仲介装置の処理の例を示すフローチャートである。
【図１１】第１の実施形態に係る機器管理装置の処理の例を示すフローチャートである。
【図１２】第１の実施形態に係る第２の仲介装置の処理の例を示すフローチャートである。
【図１３】第２の実施形態に係る仲介装置の特定処理の例を示すシーケンス図である。
【図１４】第２の実施形態に係る機器管理情報Ａの例を示す図である。
【図１５】第３の実施形態に係る機器管理システムの処理の例を示すシーケンス図である。
【図１６】第４の実施形態に係るプロジェクタの検知処理の例を示すシーケンス図である。
【発明を実施するための形態】
【００１１】
以下に、本発明の実施の形態について、添付の図面を参照して説明する。
【００１２】
＜システムの構成＞
図１、２は、一実施形態に係る機器管理システムの構成例を示す図である。図１に示すように、機器管理システム１００は、一例として、機器管理装置１１０、複数の仲介装置１２０−１、１２０−２、及びプロジェクタ（電子機器の一例）１３０を有する。なお、以下の説明の中で、複数の仲介装置１２０−１、１２０−２のうち、任意の仲介装置を示す場合、「仲介装置１２０」を用いる。また、複数の仲介装置１２０−１、１２０−２、及びプロジェクタ１３０の数は一例であり、他の数であっても良い。
【００１３】
機器管理装置１１０は、例えば、インターネットやＬＡＮ（Local Area Network）等のネットワーク１４０に接続される情報処理装置、又は複数の情報処理装置を含むシステムである。機器管理装置１１０は、例えば、第１のＬＡＮ１５０−１、第２のＬＡＮ１５０−２等の異なるネットワークに設けられた複数の仲介装置１２０−１、１２０−２を用いて、管理対象となる電子機器（例えば、プロジェクタ１３０等）の管理情報を管理する。
【００１４】
なお、電子機器の管理情報は、電子機器を管理するための情報であり、例えば、電子機器を識別する識別情報、電子機器の状態を示す状態情報、電子機器で発生したエラーを示すエラー情報、電子機器の構成等の様々な情報が含まれ得る。管理情報に含まれる情報は、任意の情報であって良い。
【００１５】
機器管理装置１１０は、第１のＬＡＮ１５０−１、第２のＬＡＮ１５０−２等のローカルネットワーク内にある電子機器の管理情報を、複数の仲介装置１２０−１、１２０−２利用して取得し、管理する。
【００１６】
仲介装置１２０−１は、第１のＬＡＮ１５０−１に含まれる電子機器と通信可能であると共に、機器管理装置１１０とネットワーク１４０を介して通信可能である。同様に、仲介装置１２０−２は、第２のＬＡＮ１５０−２に含まれる電子機器と通信可能であると共に、機器管理装置１１０とネットワーク１４０を介して通信可能である。
【００１７】
仲介装置１２０は、自装置を含むローカルネットワーク内の１つ以上の電子機器から、電子機器の管理情報を取得し、記憶部に記憶して管理する。また、仲介装置１２０は、機器管理装置１１０からの要求に応じて、記憶部に記憶した電子機器の管理情報を、機器管理装置１１０に提供する。
【００１８】
プロジェクタ１３０は、機器管理装置１１０の管理対象となる移動可能な電子機器の一例である。プロジェクタ１３０は、例えば、携帯型の遠隔会議装置、デジタルカメラ、スキャナ、プリンタ、デジタルサイネージ、電子黒板等の他の電子機器であっても良い。プロジェクタ１３０は、例えば、無線（又は有線）ＬＡＮ等により、仲介装置１２０と通信可能であり、自機の管理情報を、仲介装置１２０に通知する。
【００１９】
図１の例では、仲介装置１２０−２は、プロジェクタ１３０の管理情報を管理しており、機器管理装置１１０は、プロジェクタ１３０の管理情報を、仲介装置１２０を介して取得することができる。
【００２０】
ここで、プロジェクタ１３０が、例えば、図２に示すように第１のＬＡＮ１５０−１が構築されたエリアに移動されたものとする。この場合、プロジェクタ１３０の電源が投入されても、プロジェクタ１３０は、自機の情報を管理する仲介装置１２０−２と通信を行うことができないので、機器管理装置１１０は、プロジェクタ１３０の管理情報を取得することができなくなる。
【００２１】
そこで、本実施形態では、例えば、プロジェクタ１３０は、自機の管理情報を管理する仲介装置１２０−２と通信が行えない場合、通信可能な仲介装置１２０−１に、プロジェクタ１３０を識別する識別情報（以下、機器ＩＤと呼ぶ）を含む状態情報を送信する。
【００２２】
また、仲介装置１２０−１は、自装置で管理情報を管理していないプロジェクタ１３０から状態情報を受信すると、状態情報から取得した機器ＩＤを含む検知情報を機器管理装置１１０に送信する。
【００２３】
機器管理装置１１０は、仲介装置１２０−１から検知情報を受信すると、検知情報に含まれる機器ＩＤを用いて、プロジェクタ１３０の管理情報を管理する仲介装置１２０−２を特定する。また、機器管理装置１１０は、特定された仲介装置１２０−２から取得したプロジェクタ１３０の管理情報を仲介装置１２０−１に送信し、仲介装置１２０−１にプロジェクタ１３０の管理を指示する。
【００２４】
仲介装置１２０−１は、機器管理装置１１０から受信したプロジェクタ１３０の管理情報を記憶部に記憶し、プロジェクタ１３０に、仲介装置１２０−１がプロジェクタ１３０の管理情報を管理することを示す変更情報を通知する。
【００２５】
これにより、仲介装置１２０−１は、プロジェクタ１３０の管理情報の管理を開始し、機器管理装置１１０は、仲介装置１２０−１を介して、プロジェクタ１３０の管理情報を取得することができるようになる。
【００２６】
＜ハードウェア構成＞
（機器管理装置のハードウェア構成）
図３は、一実施形態に係る機器管理装置のハードウェア構成例を示す図である。機器管理装置１１０は、一般的なコンピュータの構成を有しており、例えば、ＣＰＵ（Central Processing Unit）１１１、ＲＡＭ（Random Access Memory）１１２、ＲＯＭ（Read Only Memory）１１３、ストレージ装置１１４、ネットワークＩ／Ｆ（Interface）１１５、入力装置１１６、表示装置１１７、外部Ｉ／Ｆ１１８、及びバス１１９等を有する。
【００２７】
ＣＰＵ１１１は、ＲＯＭ１１３やストレージ装置１１４等に格納されたプログラムやデータをＲＡＭ１１２上に読み出し、処理を実行することで、機器管理装置１１０の各機能を実現する演算装置である。ＲＡＭ１１２は、ＣＰＵ１１１のワークエリア等として用いられる揮発性のメモリである。ＲＯＭ１１３は、電源を切ってもプログラムやデータを保持することができる不揮発性のメモリである。
【００２８】
ストレージ装置１１４は、例えば、ＨＤＤ（Hard Disk Drive）や、ＳＳＤ（Solid State Drive）等の大容量記憶装置であり、ＯＳ（Operation System）、アプリケーションプログラム、各種のデータ等を記憶する。
【００２９】
ネットワークＩ／Ｆ１１５は、機器管理装置１１０をネットワーク１４０に接続するための通信インタフェースである。
【００３０】
入力装置１１６は、マウス等のポインティングデバイスや、キーボード等の入力デバイスであり、機器管理装置１１０に操作信号を入力するために用いられる。表示装置１１７はディスプレイ等の表示デバイスであり、機器管理装置１１０による処理結果等を表示する。
【００３１】
外部Ｉ／Ｆ１１８は、外部装置とのインタフェースである。外部装置には、例えば、記録媒体３０１等が含まれる。機器管理装置１１０は、外部Ｉ／Ｆ１１８を介して、記録媒体３０１の読取り及び／又は書き込みを行うことができる。記録媒体３０１には、例えば、光学ディスク、磁気ディスク、メモリカード、ＵＳＢ（Universal Serial Bus）メモリ等が含まれる。また、機器管理装置１１０は、記録媒体３０１に所定のプログラムを格納し、この記録媒体３０１に格納されたプログラムを外部Ｉ／Ｆ１１８を介して、機器管理装置１１０にインストールすることにより、所定のプログラムを実行することが可能となる。
【００３２】
バス１１９は、上記の各構成要素に接続され、アドレス信号、データ信号、及び各種制御信号等を伝送する。
【００３３】
（仲介装置のハードウェア構成）
図４は、仲介装置のハードウェア構成の例を示す図である。仲介装置１２０は、例えば、ＣＰＵ１２１、ＲＡＭ１２２、フラッシュＲＯＭ１２３、第１のネットワークＩ／Ｆ１２４、及び第２のネットワークインタフェース１２５等を有する。
【００３４】
ＣＰＵ１２１は、フラッシュＲＯＭ１２３等に格納されたプログラムやデータをＲＡＭ１２２上に読み出し、処理を実行することで、仲介装置１２０の各機能を実現する演算装置である。ＲＡＭ１２２は、ＣＰＵ１２１のワークエリア等として用いられる揮発性のメモリである。フラッシュＲＯＭ１２３は、電源を切ってもプログラムやデータを保持することができる不揮発性のメモリであり、例えば、ＯＳ、アプリケーションプログラム、各種のデータ等を記憶する。
【００３５】
第１のネットワークＩ／Ｆ１２４は、仲介装置１２０をネットワーク１４０に接続するための通信インタフェースである。
【００３６】
第２のネットワークＩ／Ｆ１２５は、仲介装置１２０が設けられたローカルネットワーク（例えば、第１のＬＡＮ１５０−１等）内で、プロジェクタ１３０等の電子機器と通信を行うための通信インタフェースである。バス１２６は、上記の各構成要素に接続され、アドレス信号、データ信号、及び各種制御信号等を伝送する。
【００３７】
（プロジェクタのハードウェア構成）
図５は、一実施形態に係るプロジェクタのハードウェア構成の例を示す図である。なお、プロジェクタ１３０は、電子機器の一例である。
【００３８】
ＣＰＵ１３１は、ストレージ装置１３３等に格納されたプログラムやデータをＲＡＭ１３２上に読み出し、処理を実行することで、プロジェクタ１３０の各機能を実現する演算装置である。ＲＡＭ１３２は、ＣＰＵ１３１のワークエリア等として用いられる揮発性のメモリである。ストレージ装置１３３は、例えば、ＨＤＤや、ＳＳＤ等の大容量記憶装置であり、プロジェクタ１３０用のプログラム、各種のデータ等を記憶する。
【００３９】
画像投影部１３４は、画像を投影するためのハードウェアであり、例えば、光源、表示素子、投影レンズ等が含まれる。なお、画像投影部１３４は、電子機器に固有の機能を実現するためのハードウェアの一例である。例えば、電子機器がデジタルカメラであれば、電子機器には、画像投影部１３４に代えて、画像撮影部等が含まれる。また、電子機器が携帯型のプリンタであれば、電子機器には、画像投影部１３４に代えて、画像形成部が含まれる。
【００４０】
ネットワークＩ／Ｆ１３５は、仲介装置１２０と通信を行うための通信インタフェースである。バス１３６は、上記の各構成要素に接続され、アドレス信号、データ信号、及び各種制御信号等を伝送する。
【００４１】
＜機能構成＞
図６は、一実施形態に係る機器管理システムの機能構成の例を示す図である。図６に示す機器管理システム１００は、図２に示す機器管理システム１００のシステム構成に対応している。また、図６において、仲介装置１２０−２は、仲介装置１２０−１と同様の機能構成を有しているものとする。
【００４２】
（機器管理装置の機能構成）
機器管理装置１１０は、通信部６１１、検知情報受信部６１２、仲介装置特定部６１３、管理情報取得部６１４、管理情報通知部６１５、仲介装置管理部６１６、機器管理部Ａ６１７、及び記憶部６１８等を有する。
【００４３】
通信部６１１は、例えば、図３のネットワークＩ／Ｆ１１５等を用いて、複数の仲介装置１２０−１、１２０−２等と通信するための手段であり、例えば、図３のＣＰＵ１１１で実行されるプログラムによって実現される。
【００４４】
検知情報受信部６１２は、仲介装置１２０（例えば、仲介装置１２０−１）から、仲介装置１２０が管理情報を有していない電子機器（例えば、プロジェクタ１３０）の機器ＩＤ（識別情報）を含む検知情報を受信する。検知情報受信部６１２は、例えば、図３のＣＰＵ１１１で実行されるプログラムによって実現される。
【００４５】
仲介装置特定部（特定部）６１３は、検知情報受信部６１２が受信した検知情報に含まれるプロジェクタ１３０の機器ＩＤを用いて、プロジェクタ１３０の管理情報を管理する仲介装置１２０（例えば、仲介装置１２０−２）を特定する。仲介装置特定部６１３は、例えば、図３のＣＰＵ１１１で実行されるプログラムによって実現される。
【００４６】
一例として、仲介装置特定部６１３は、仲介装置１２０−１と同じグループに属する他の仲介装置１２０−２に、プロジェクタ１３０の管理情報を管理しているかを問い合わせることによりプロジェクタ１３０の管理情報を管理している仲介装置１２０を特定する。
【００４７】
なお、グループは、例えば、同じ会社、拠点、フロア、部署、テナント等の契約単位を示すものとする。仲介装置特定部６１３は、仲介装置１２０−１と同じグループに属する他の仲介装置１２０−２を、例えば、記憶部６１８に記憶した仲介装置管理情報６０１を参照して判断することができる。
【００４８】
図７（ａ）に、機器管理装置１１０が管理する仲介装置管理情報６０１の一例を示す。図８（ａ）の例では、仲介装置管理情報６０１には、「仲介装置ＩＤ」、「宛先情報」、「グループＩＤ」等の情報が含まれている。
【００４９】
「仲介装置ＩＤ」は、仲介装置１２０を識別するための識別情報である。「宛先情報」は、仲介装置１２０と通信を行うための宛先情報であり、例えば、ＩＰアドレス等が用いられる。なお、宛先情報は、例えば、ＭＡＣアドレス等のＩＰアドレス以外の情報であっても良い。
【００５０】
「グループＩＤ」は、前述したグループを識別するための識別情報である。仲介装置特定部６１３は、仲介装置管理情報６０１から同じグループＩＤを有する仲介装置ＩＤを抽出することにより、同じグループに属する他の仲介装置１２０を特定することができる。
【００５１】
別の一例として、機器管理装置１１０は、後述する機器管理部Ａが、複数の仲介装置１２０−１、１２０−２から、各仲介装置１２０が管理する電子機器の管理情報を取得し、記憶部６１８の機器管理情報Ａ６０２に記憶しておくものであっても良い。この場合、仲介装置特定部６１３は、記憶部６１８に記憶された機器管理情報Ａ６０２を参照して、プロジェクタ１３０の管理情報を管理する仲介装置１２０−２を特定することができるようになる。なお、機器管理情報Ａ６０２については、第２の実施形態で後述する。
【００５２】
管理情報取得部６１４は、仲介装置１２０から、プロジェクタ１３０等の電子機器の管理情報を取得する手段であり、例えば、図３のＣＰＵ１１１で実行されるプログラムによって実現される。例えば、管理情報取得部６１４は、仲介装置特定部６１３が特定した仲介装置１２０−２から、検知情報に含まれる機器ＩＤに対応するプロジェクタ１３０の管理情報を取得する。
【００５３】
管理情報通知部６１５は、管理情報取得部６１４が取得したプロジェクタ１３０の管理情報を、検知情報の送信元の仲介装置１２０−１に通知（送信）する手段であり、例えば、図３のＣＰＵ１１１で実行されるプログラムによって実現される。
【００５４】
仲介装置管理部６１６は、複数の仲介装置１２０−１、１２０−２の情報を、図７（ａ）に示すような仲介装置管理情報６０１に記憶して管理する手段であり、例えば、図３のＣＰＵ１１１で実行されるプログラムによって実現される。
【００５５】
また、仲介装置管理部６１６は、管理情報通知部６１５が、プロジェクタ１３０の管理情報を通知した仲介装置１２０−１に、プロジェクタ１３０の管理（プロジェクタ１３０の管理情報の管理）を指示する。さらに、仲介装置管理部６１６は、プロジェクタ１３０の管理情報を取得した仲介装置１２０−２に、プロジェクタ１３０の管理（プロジェクタ１３０の管理情報の管理）の終了を指示する。
【００５６】
機器管理部Ａ（第１の機器管理部）は、機器管理システム１００に含まれる複数の仲介装置１２０−１、１２０−２から、各仲介装置１２０が管理する電子機器の管理情報（機器管理情報Ｂ）を取得し、記憶部６１８の機器管理情報Ａ６０２に記憶して、管理する。機器管理部Ａは、例えば、図３のＣＰＵ１１１で実行されるプログラムによって実現される。
【００５７】
記憶部６１８は、前述した仲介装置管理情報６０１、機器管理情報Ａ６０２、及び機器管理装置１１０を識別する管理装置ＩＤ等を含む様々な情報を記憶する手段である。記憶部６１８は、例えば、図３のストレージ装置１１４、及び図３のＣＰＵ１１１で実行されるプログラム等によって実現される。
【００５８】
（仲介装置の機能構成）
仲介装置１２０は、第１の通信部６２１、検知情報送信部６２２、機器管理部Ｂ６２３、第２の通信部６２４、及び記憶部６２５等を有する。
【００５９】
第１の通信部６２１は、図４の第１のネットワークＩ／Ｆ１２４を用いて、ネットワーク１４０を介して接続される機器管理装置１１０と通信するための手段であり、例えば、図４のＣＰＵ１２１で実行されるプログラムによって実現される。
【００６０】
検知情報送信部６２２は、仲介装置１２０が、自装置が管理情報を管理していない電子機器（例えば、プロジェクタ１３０）を検知した場合、管理情報を管理していない電子機器の機器ＩＤを含む検知情報を、機器管理装置１１０に送信する。検知情報送信部６２２は、例えば、図４のＣＰＵ１２１で実行されるプログラムによって実現される。
【００６１】
機器管理部Ｂ（第２の機器管理部）６２３は、仲介装置１２０の管理対象となる電子機器を管理する手段であり、例えば、図４のＣＰＵ１２１で実行されるプログラムによって実現される。
【００６２】
例えば、機器管理部Ｂ６２３は、管理対象となる電子機器から、第２の通信部６２４を介して、電子機器の管理情報（例えば、機器ＩＤ、状態情報、エラー情報等）を取得し、記憶部６２５の機器管理情報Ｂ６０４に記憶して管理する。
【００６３】
また、機器管理部Ｂ６２３は、機器管理装置１１０から通知される新たな電子機器（例えば、プロジェクタ１３０）の管理情報を、機器管理情報Ｂ６０４に記憶して、管理する。
【００６４】
さらに、機器管理部Ｂ６２３は、例えば、新たに管理対象となったプロジェクタ１３０に、仲介装置１２０がプロジェクタの管理情報を管理することを示す変更情報を通知する。
【００６５】
さらにまた、機器管理部Ｂ６２３は、機器管理装置１１０からの要求に応じて、記憶部６２５に記憶した機器管理情報Ｂ６０４の一部、又は全部を、機器管理装置１１０に送信する。
【００６６】
第２の通信部６２４は、例えば、図４の第２のネットワークＩ／Ｆ１２５を用いて、ローカルネットワーク（例えば、第１のＬＡＮ１５０−１）内の電子機器と通信する手段であり、例えば、図４のＣＰＵ１２１で実行されるプログラムによって実現される。
【００６７】
記憶部６２５は、管理装置情報６０３、機器管理情報Ｂ６０４、及び仲介装置１２０を識別する仲介装置ＩＤ等を含む様々な情報を記憶する手段である。記憶部６２５は、例えば、図４のフラッシュＲＯＭ１２３、及び図４のＣＰＵ１２１で実行されるプログラム等によって実現される。
【００６８】
仲介装置１２０が管理する管理装置情報６０３の例を図７（ｂ）に示す。図７（ｂ）に示されるように管理装置情報６０３には、例えば、「管理装置ＩＤ」、「宛先情報」等の情報が含まれる。「管理装置ＩＤ」は、機器管理装置１１０を識別する識別情報である。「宛先情報」は、機器管理装置１１０と通信を行うための宛先情報であり、例えば、ＩＰアドレス等の情報である。仲介装置１２０は、この管理装置情報６０３を用いて、ネットワーク１４０上の機器管理装置１１０を特定し、通信することができる。
【００６９】
仲介装置１２０が管理する機器管理情報Ｂ６０４の例を図７（ｃ）に示す。図７（ｃ）に示されるように機器管理情報Ｂ６０４には、例えば、「機器ＩＤ」、「機器種別」、「アタ先情報」、「通信方法」、「追加情報」等の情報が含まれる。
【００７０】
「機器ＩＤ」は、管理対象となる電子機器を識別する識別情報である。「機器種別」は、電子機器の種別を示す情報である。「宛先情報」は、電子機器のＩＰアドレス等の宛先を示す情報である。「通信方法」は、電子機器と通信を行うための通信プロトコルを示す情報である。「追加情報」は、例えば、電子機器にパスワードが設定されている場合のパスワードや、発生したエラーの情報等、様々な付加情報が含まれる。
【００７１】
なお、図７（ｃ）に示す機器管理情報Ｂ６０４は、電子機器の管理情報の一例であり、機器管理情報Ｂ６０４には、機器管理システム１００が管理する電子機器の様々な情報が含まれていて良い。
【００７２】
（電子機器の機能構成）
プロジェクタ１３０は、通信部６３１、状態情報送信部６３２、及び記憶部６３３等を有する。なお、プロジェクタ１３０は、機器管理システム１００の管理対象となる電子機器の一例である。
【００７３】
通信部６３１は、例えば、図５のネットワークＩ／Ｆ１３５を用いて、ローカルネットワーク（例えば、第１のＬＡＮ１５０−１）内の仲介装置１２０−１と通信するための手段であり、例えば、図５のＣＰＵ１３１で実行されるプログラムによって実現される。
【００７４】
状態情報送信部６３２は、プロジェクタ１３０の管理情報を管理する仲介装置１２０−２と通信できない場合、プロジェクタ１３０と通信可能な仲介装置１２０−１に、プロジェクタ１３０の機器ＩＤを含む状態情報を送信する。状態情報送信部６３２は、例えば、図５のＣＰＵ１３１で実行されるプログラムによって実現される。
【００７５】
また、状態情報送信部６３２は、プロジェクタ１３０の管理情報を管理する仲介装置１２０−２と通信できる場合、プロジェクタ１３０の管理情報、又は機器情報等を、仲介装置１２０−２に送信する。
【００７６】
記憶部６３３は、例えば、プロジェクタ１３０の管理情報を管理する仲介装置を示す情報である仲介装置情報６０５、及びプロジェクタ１３０を識別する機器ＩＤ等を含む様々な情報を記憶する手段である。記憶部６３３は、例えば、図５のストレージ装置１３３、及び図３のＣＰＵ１３１で実行されるプログラム等によって実現される。
【００７７】
プロジェクタ１３０が管理する仲介装置情報６０５の一例を、図７（ｄ）に示す。図７（ｄ）に示されるように、仲介装置情報６０５には、例えば、「仲介装置ＩＤ」、「宛先情報」等の情報が含まれる。「仲介装置ＩＤ」は、プロジェクタ１３０の管理情報を管理する仲介装置１２０を識別する識別情報である。「宛先情報」は、プロジェクタ１３０の管理情報を管理する仲介装置１２０のＩＰアドレス等の宛先を示す情報である。
【００７８】
＜処理の流れ＞
続いて、本実施形態に係る機器管理システム１００における機器管理方法の処理の流れについて、複数の実施形態に分けて説明する。
【００７９】
［第１の実施形態］
（機器管理システムの処理）
図８は、第１の実施形態に係る機器管理システムの処理の例を示すシーケンス図である。
【００８０】
ステップＳ８０１において、例えば、図２に示す第２のＬＡＮ１５０−２のエリアから、第１のＬＡＮ１５０−１のエリアに移動されたプロジェクタ１３０の電源が投入され、プロジェクタ１３０が起動するものとする。
【００８１】
ステップＳ８０２において、プロジェクタ１３０の状態情報送信部６３２は、通信部６３１を用いて、プロジェクタ１３０と通信可能な仲介装置１２０を検索する。ここでは、プロジェクタ１３０の管理情報を管理している第２の仲介装置１２０−２とは異なる第１の仲介装置１２０−１が検索されるものとする。
【００８２】
ステップＳ８０３において、プロジェクタ１３０の状態情報送信部６３２は、プロジェクタ１３０の管理情報を管理する第２の仲介装置１２０−２と通信できないので、通信可能な第１の仲介装置１２０−１に、状態情報を送信する。この状態情報には、例えば、プロジェクタ１３０が、仲介装置１２０に管理されていない「未管理」の状態であることを示す情報、プロジェクタ１３０の機器ＩＤ等の情報が含まれる。
【００８３】
ステップＳ８０４において、第１の仲介装置１２０−１の検知情報送信部６２２は、管理情報を管理していないプロジェクタ１３０から状態情報を受け付けると、状態情報から取得した機器ＩＤを含む検知情報を、機器管理装置１１０に送信する。この検知情報には、例えば、第１の仲介装置１２０−１を識別する仲介装置ＩＤ１、及びプロジェクタ１３０の機器ＩＤ等が含まれる。
【００８４】
ステップＳ８０５において、機器管理装置１１０の仲介装置特定部６１３は、検知情報受信部６１２が受信した検知情報に含まれるプロジェクタ１３０の機器ＩＤを用いて、プロジェクタ１３０の管理情報を管理する第２の仲介装置１２０−２を特定する。なお、プロジェクタ１３０の管理情報を管理する第２の仲介装置１２０−２を特定する方法については後述する。
【００８５】
ステップＳ８０６において、機器管理装置１１０の管理情報取得部６１４は、仲介装置特定部６１３が特定した第２の仲介装置１２０−２に、プロジェクタ１３０の管理情報の取得を要求する取得要求を送信する。この取得要求には、例えば、プロジェクタ１３０の機器ＩＤ等が含まれる。
【００８６】
ステップＳ８０７において、第２の仲介装置１２０−２の機器管理部Ｂ６２３は、機器管理装置１１０から受け付けた取得要求に含まれる機器ＩＤを用いて、プロジェクタ１３０の管理情報を、記憶部６２５の機器管理情報Ｂ６０４から取得する。また、機器管理部Ｂ６２３は、取得したプロジェクタ１３０の管理情報を、取得要求の要求元の機器管理装置１１０に送信する。
【００８７】
ステップＳ８０８において、機器管理装置１１０の管理情報取得部６１４は、第２の仲介装置１２０−２から送信されたプロジェクタ１３０の管理情報を取得する。また、機器管理装置１１０の管理情報通知部６１５は、管理情報取得部６１４が取得したプロジェクタ１３０の管理情報を、検知情報の送信元である第１の仲介装置１２０−１に通知（送信）する。
【００８８】
ステップＳ８０９において、第１の仲介装置１２０−１の機器管理部Ｂ６２３は、機器管理装置１１０から通知されたプロジェクタ１３０の管理情報を、記憶部６２５の機器管理情報Ｂ６０４に記憶する。
【００８９】
ステップＳ８１０において、機器管理装置１１０の仲介装置管理部６１６は、管理情報通知部６１５が管理情報を通知したプロジェクタ１３０の管理を、第１の仲介装置１２０−１に指示する。
【００９０】
ステップＳ８１１において、第１の仲介装置１２０−１の機器管理部Ｂは、機器管理装置１１０からの指示を受け付けると、プロジェクタ１３０に、プロジェクタ１３０を管理する仲介装置の変更情報を送信する。この変更情報には、例えば、プロジェクタ１３０の管理情報を管理する第１の仲介装置１２０−１を識別する仲介装置ＩＤ１、及び第１の仲介装置１２０−１のＩＰアドレス等が含まれる。
【００９１】
ステップＳ８１２において、プロジェクタ１３０は、仲介装置１２０−１から受け付けた変更情報に含まれる第１の仲介装置１２０−１の仲介装置ＩＤ１、及び第１の仲介装置１２０−１のＩＰアドレスを、記憶部６３３の仲介装置情報６０５に記憶する。
【００９２】
ステップＳ８１３において、機器管理装置１１０の仲介装置管理部６１６は、第２の仲介装置１２０−２に、プロジェクタ１３０の管理の終了を指示する。
【００９３】
上記の処理により、プロジェクタ１３０の管理情報を管理する仲介装置１２０が、第２の仲介装置１２０−２から第１の仲介装置１２０−１に変更される。これにより、機器管理装置１１０は、第１の仲介装置１２０−１を介して、プロジェクタ１３０の管理情報を取得することができるようになる。
【００９４】
（プロジェクタの処理）
図９は、第１の実施形態に係るプロジェクタの処理の例を示すフローチャートである。この処理は、図８に示す機器管理システムの処理におけるプロジェクタ１３０の具体的な処理の一例を示している。なお、プロジェクタ１３０は電子機器の一例である。
【００９５】
ステップＳ９０１において、プロジェクタ１３０が起動すると、プロジェクタ１３０は、ステップＳ９０２以降の処理を実行する。
【００９６】
ステップＳ９０２において、プロジェクタ１３０の状態情報送信部６３２は、プロジェクタ１３０の管理情報を管理する仲介装置１２０の情報を、記憶部６３３の仲介装置情報６０５から読出する。ここでは、例えば、第２の仲介装置１２０−２の仲介装置ＩＤと、仲介装置１２０−２のＩＰアドレス等が読出される。
【００９７】
ステップＳ９０３において、状態情報送信部６３２は、通信部６３１を用いて、プロジェクタ１３０の管理情報を管理する第２の仲介装置１２０−２と通信可能であるかを判断する。
【００９８】
プロジェクタ１３０の管理情報を管理する第２の仲介装置１２０−２と通信可能である場合、状態情報送信部６３２は、ステップＳ９０４において、第２の仲介装置１２０−２に、プロジェクタ１３０が起動したことを示す起動通知を送信する。
【００９９】
一方、プロジェクタ１３０の管理情報を管理する第２の仲介装置１２０−２と通信可能でない場合、状態情報送信部６３２は、処理をステップＳ９０５に移行させる。
【０１００】
ステップＳ９０５に移行すると、状態情報送信部６３２は、通信部６３１を用いて、第２の仲介装置１２０−２と異なる他の仲介装置１２０と通信可能であるかを判断する。
【０１０１】
他の仲介装置１２０と通信可能でない場合、状態情報送信部６３２は、処理を終了させる。一方、他の仲介装置１２０（例えば、第１の仲介装置１２０−１）と通信可能である場合、状態情報送信部６３２は、処理をステップＳ９０６に移行させる。
【０１０２】
ステップＳ９０６において、状態情報送信部６３２は、他の仲介装置１２０である第１の仲介装置１２０−１に、プロジェクタ１３０の機器ＩＤ（識別情報）を含む状態情報を送信する。
【０１０３】
ステップＳ９０７において、プロジェクタ１３０は、状態情報を送信した第１の仲介装置１２０−１から仲介装置の変更情報を受信すると、ステップＳ９０８の処理を実行する。
【０１０４】
ステップＳ９０８において、プロジェクタ１３０は、受信した変更情報に含まれる仲介装置１２０の仲介装置ＩＤ、及びＩＰアドレスを用いて、記憶部６３３の仲介装置情報６０５を更新する。
【０１０５】
（第１の仲介装置の処理）
図１０は、第１の実施形態に係る第１の仲介装置の処理の例を示すフローチャートである。この処理は、図８に示す機器管理システムの処理における第１の仲介装置１２０−１の具体的な処理の一例を示している。
【０１０６】
ステップＳ１００１において、第１の仲介装置１２０−１は、プロジェクタ１３０から状態情報を受信すると、ステップＳ１００２以降の処理を実行する。
【０１０７】
ステップＳ１００２において、第１の仲介装置１２０−１の機器管理部Ｂ６２３は、受信した状態情報に含まれるプロジェクタ１３０の機器ＩＤを用いて、プロジェクタ１３０の管理情報を有しているかを判断する。例えば、機器管理部Ｂ６２３は、図７（ｃ）に示すような機器管理情報Ｂ３０４に、プロジェクタ１３０の機器ＩＤが含まれる場合、プロジェクタ１３０の管理情報を管理していると判断する。
【０１０８】
プロジェクタ１３０の管理情報を有している場合、ステップＳ１００３において、機器管理部Ｂ６２３は、受信した状態情報を用いて、機器管理情報Ｂ３０４に含まれるプロジェクタ１３０の管理情報を更新する。一方、プロジェクタ１３０の管理情報を有していない場合、機器管理部Ｂ６２３は、処理をステップＳ１００４に移行させる。
【０１０９】
ステップＳ１００４に移行すると、検知情報送信部６２２は、例えば、図７（ｂ）に示すような管理装置情報６０３から、機器管理装置１１０の情報（管理装置ＩＤ、ＩＰアドレス等）を読出する。
【０１１０】
ステップＳ１００５において、検知情報送信部６２２は、ステップＳ１００４で読出しした機器管理装置１１０の情報を用いて、機器管理装置１１０に、プロジェクタ１３０の機器ＩＤを含む検知情報を送信する。
【０１１１】
ステップＳ１００６において、機器管理部Ｂ６２３は、機器管理装置１１０からプロジェクタ１３０の管理情報を受信すると、ステップＳ１００７の処理を実行する。
【０１１２】
ステップＳ１００７において、機器管理部Ｂ６２３は、受信したプロジェクタ１３０の管理情報を、記憶部６２５の機器管理情報Ｂ３０４に記憶する。
【０１１３】
ステップＳ１００８において、機器管理部Ｂ６２３は、機器管理装置１１０からプロジェクタ１３０の管理指示を受信すると、ステップＳ１００９の処理を実行する。
【０１１４】
ステップＳ１００９において、機器管理部Ｂ６２３は、プロジェクタ１３０に、プロジェクタ１３０の管理情報を管理する仲介装置１２０が、仲介装置１２０−１に変更されたことを示す変更情報を送信する。
【０１１５】
（機器管理装置の処理）
図１１は、第１の実施形態に係る機器管理装置の処理の例を示すフローチャートである。この処理は、図８に示す機器管理システムの処理における機器管理装置１１０の具体的な処理の一例を示している。
【０１１６】
ステップＳ１１０１において、機器管理装置１１０は、第１の仲介装置１２０−１から検知情報を受信すると、ステップＳ１１０２以降の処理を実行する。
【０１１７】
ステップＳ１１０２において、仲介装置特定部６１３は、検知情報を送信した第１の仲介装置１２０−１と同じグループの他の仲介装置があるかを判断する。例えば、仲介装置特定部６１３は、図７（ａ）に示すような仲介装置管理情報６０１のグループＩＤを参照して、第１の仲介装置１２０−１と同じグループＩＤを有する他の仲介装置１２０があるかを判断する。
【０１１８】
検知情報を送信した第１の仲介装置１２０−１と同じグループの他の仲介装置がない場合、仲介装置特定部６１３は処理を終了させる。一方、検知情報を送信した第１の仲介装置１２０−１と同じグループの他の仲介装置がある場合、仲介装置特定部６１３は、処理をステップＳ１１０３に移行させる。
【０１１９】
ステップＳ１１０３に移行すると、仲介装置特定部６１３は、第１の仲介装置１２０−１と同じグループの他の仲介装置１２０に、プロジェクタ１３０の管理情報を有しているかの問合せを送信する。
【０１２０】
ステップＳ１１０４において、仲介装置特定部６１３は、プロジェクタ１３０の管理情報を有しているかの問合せに対する応答により、プロジェクタ１３０の管理情報を有している他の仲介装置１２０があるかを判断する。
【０１２１】
プロジェクタ１３０の管理情報を有している他の仲介装置１２０がない場合、仲介装置特定部６１３は、処理を終了させる。一方、プロジェクタ１３０の管理情報を有している他の仲介装置１２０がある場合、仲介装置特定部６１３は、処理をステップＳ１１０５に移行させる。
【０１２２】
なお、ステップＳ１１０２〜Ｓ１１０４に示す処理は、プロジェクタ１３０の管理情報を管理する仲介装置１２０を特定する処理の一例である。
【０１２３】
ステップＳ１１０５に移行すると、管理情報取得部６１４は、プロジェクタ１３０の管理情報を管理している仲介装置１２０（例えば、第２の仲介装置１２０−２）から、プロジェクタ１３０の管理情報を取得する。
【０１２４】
ステップＳ１１０６において、管理情報通知部６１５は、検知情報の送信元である第１の仲介装置１２０−１に、管理情報取得部６１４が取得したプロジェクタ１３０の管理情報を送信する。
【０１２５】
ステップＳ１１０７において、仲介装置管理部６１６は、プロジェクタ１３０の管理情報を送信した第１の仲介装置１２０−１に、プロジェクタ１３０の管理を指示する管理指示を送信する。
【０１２６】
ステップＳ１１０８において、仲介装置管理部６１６は、プロジェクタ１３０の管理情報を取得した第２の仲介装置１２０−２に、プロジェクタ１３０の管理の終了を指示する終了指示を送信する。
【０１２７】
（第２の仲介装置の処理）
図１２は、第１の実施形態に係る第２の仲介装置の処理の例を示すフローチャートである。この処理は、図８に示す機器管理システムの処理における第２の仲介装置１２０−２の具体的な処理の一例を示している。
【０１２８】
ステップＳ１２０１において、第２の仲介装置１２０−２は、機器管理装置１１０から、プロジェクタ（電子機器の一例）１３０の管理情報を管理しているかの問合せを受信すると、ステップＳ１２０２以降の処理を実行する。
【０１２９】
ステップＳ１２０２において、第２の仲介装置１２０−２の機器管理部Ｂ６２３は、プロジェクタ１３０の管理情報を有しているかを判断する。例えば、機器管理部Ｂ６２３は、図７（ｃ）に示すような機器管理情報Ｂ３０４に、プロジェクタ１３０の機器ＩＤが含まれる場合、プロジェクタ１３０の管理情報を有していると判断する。
【０１３０】
プロジェクタ１３０の管理情報を有していないと判断した場合、機器管理部Ｂ６２３は、ステップＳ１２０３において、プロジェクタ１３０の管理情報を有していないことを示す情報を、機器管理装置１１０に返信（送信）する。一方、プロジェクタ１３０の管理情報を有していると判断した場合、機器管理部Ｂ６２３は、処理をステップＳ１２０４に移行させる。
【０１３１】
ステップＳ１２０４に移行すると、機器管理部Ｂ６２３は、プロジェクタ１３０の管理情報を有していることを示す情報を、機器管理装置１１０に返信（送信）する。
【０１３２】
ステップＳ１２０５において、第２の仲介装置１２０−２は、機器管理装置１１０から、プロジェクタ１３０の管理情報の取得を要求する取得要求を受信すると、ステップＳ１２０６の処理を実行する。
【０１３３】
ステップＳ１２０６において、第２の仲介装置１２０−２の機器管理部Ｂ６２３は、記憶部６２５に記憶した機器管理情報Ｂ３０４から、プロジェクタ１３０の管理情報を読出する。
【０１３４】
ステップＳ１２０７において、機器管理部Ｂ６２３は、ステップＳ１２０６で読出したプロジェクタ１３０の管理情報を、機器管理装置１１０に送信する。
【０１３５】
ステップＳ１２０８において、第２の仲介装置１２０−２は、機器管理装置１１０から、プロジェクタ１３０の管理の終了を指示する終了指示を受信すると、ステップＳ１２０９の処理を実行する。
【０１３６】
ステップＳ１２０９において、第２の仲介装置１２０−２の機器管理部Ｂ６２３は、管理の終了を指示されたプロジェクタ１３０の管理情報の管理を終了する。例えば、機器管理部Ｂ６２３は、記憶部６２５に記憶した機器管理情報Ｂ３０４から、プロジェクタ１３０の管理情報を削除する。
【０１３７】
以上、本実施形態によれば、異なるネットワークに設けられた複数の仲介装置を用いて、管理対象となる移動可能な電子機器の管理情報を管理することを容易にする機器管理システム１００、及び機器管理装置１１０を提供することができる。
【０１３８】
［第２の実施形態］
図１３は、第２の実施形態に係る仲介装置の特定処理の例を示すシーケンス図である。この処理は、例えば、図８のステップＳ８０５において、機器管理装置１１０が、プロジェクタ１３０を管理する仲介装置１２０を特定する処理の別の一例を示している。
【０１３９】
第２の実施形態では、機器管理装置１１０の仲介装置管理部６１６は、所定の時間間隔、又は処理の時間等に、複数の仲介装置１２０−１、１２０−２から、機器管理情報Ｂ３０４を取得し、記憶部６１８の機器管理情報Ａ６０２に記憶して管理するものとする。
【０１４０】
例えば、図１３のステップＳ１３０１において、機器管理装置１１０の仲介装置管理部６１６は、第１の仲介装置１２０−１に、機器管理情報Ｂ３０４の取得を要求する取得要求を送信する。
【０１４１】
ステップＳ１３０２において、第１の仲介装置１２０−１の機器管理部Ｂ６２３は、機器管理装置１１０からの機器管理情報Ｂ３０４の取得要求を受け付けると、記憶部６２５に記憶した機器管理情報Ｂ３０４を、機器管理装置１１０に送信する。
【０１４２】
ステップＳ１３０３において、機器管理装置１１０の仲介装置管理部６１６は、第１の仲介装置１２０−１から受信した機器管理情報Ｂ３０４を、記憶部６１８の機器管理情報Ａ６０２に記憶する。
【０１４３】
図１４は、第２の実施形態に係る機器管理情報Ａの例を示す図である。図１４に示されるように、機器管理情報Ａには、例えば、「仲介装置ＩＤ」、「機器ＩＤ」、「機器種別」、「通信方法」、「追加情報」等の情報が含まれる。このうち、「機器ＩＤ」、「機器種別」、「通信方法」、「追加情報」の各情報は、図７（ｃ）に示す機器管理情報Ｂ３０４の各情報に対応している。
【０１４４】
つまり、機器管理情報Ａ６０２には、仲介装置１２０を識別する「仲介装置ＩＤ」に対応付けて、仲介装置１２０が管理している機器管理情報Ｂ３０４が記憶されている。
【０１４５】
同様に、ステップＳ１３０４において、機器管理装置１１０の仲介装置管理部６１６は、第２の仲介装置１２０−２に、機器管理情報Ｂ３０４の取得を要求する取得要求を送信する。
【０１４６】
ステップＳ１３０５において、第２の仲介装置１２０−２の機器管理部Ｂ６２３は、機器管理装置１１０からの機器管理情報Ｂ３０４の取得要求を受け付けると、記憶部６２５に記憶した機器管理情報Ｂ３０４を、機器管理装置１１０に送信する。
【０１４７】
ステップＳ１３０６において、機器管理装置１１０の仲介装置管理部６１６は、第２の仲介装置１２０−２から受信した機器管理情報Ｂ３０４を、記憶部６１８の機器管理情報Ａ６０２に記憶する。
【０１４８】
このようにして、機器管理装置１１０の仲介装置管理部６１６は、複数の仲介装置１２０−１、１２０−２から取得した機器管理情報Ｂ３０４を、仲介装置１２０の仲介装置ＩＤに対応付けて、機器管理情報Ａ６０２に記憶して、管理する。
【０１４９】
これにより、機器管理装置１１０の仲介装置特定部６１３は、機器管理情報Ａ６０２を用いて、プロジェクタ１３０の管理情報を管理する仲介装置１２０を容易に特定することができるようになる。
【０１５０】
例えば、ステップＳ１３０７において、機器管理装置１１０の検知情報受信部６１２が、第１の仲介装置１２０−１から、プロジェクタ１３０の機器ＩＤを含む検知情報を受信するものとする。
【０１５１】
この場合、機器管理装置１１０の仲介装置特定部６１３は、例えば、図１４に示すような機器管理情報Ａ６０２を用いて、プロジェクタの「機器ＩＤ」に対応する仲介装置１２０の「仲介装置ＩＤ」を特定することができる。
【０１５２】
本実施形態によれば、機器管理装置１１０の仲介装置特定部６１３は、仲介装置１２０から検知情報を受信した場合、例えば、図１１のステップＳ１１０３に示す問合せ処理を省略し、処理を高速化することができる。
【０１５３】
また、本実施形態によれば、例えば、図８のステップＳ８０６、Ｓ８０７に示す第２の仲介装置１２０−２から管理情報を取得する処理を省略し、機器管理情報Ａ６０２に記憶した管理情報を、第１の仲介装置１２０−１に通知することができるようになる。
【０１５４】
［第３の実施形態］
図１５は、第３の実施形態に係る機器管理システムの処理の例を示すシーケンス図である。図１５に示す処理のうち、ステップＳ８０１、Ｓ８０２、及びステップＳ８０７〜Ｓ８１３に示す処理は、図８に示す第１の実施形態に係る機器管理システムの処理と同様なので、ここでは、第１の実施形態との相違点を中心に説明を行う。
【０１５５】
ステップＳ１５０１において、プロジェクタ１３０の状態情報送信部６３２は、第１の仲介装置１２０−１に、状態情報を送信する。この状態情報には、例えば、プロジェクタ１３０が、「未管理」の状態であることを示す情報、プロジェクタ１３０の機器ＩＤ等の情報に加えて、プロジェクタ１３０の管理情報を管理する第２の仲介装置１２０−２を識別する仲介装置ＩＤ２が含まれる。状態情報送信部６３２は、例えば、図７（ｄ）に示す仲介装置情報６０５から、プロジェクタ１３０の管理情報を管理する第２の仲介装置１２０−２を識別する仲介装置ＩＤ２を取得することができる。
【０１５６】
ステップＳ１５０２において、第１の仲介装置１２０−１の検知情報送信部６２２は、プロジェクタ１３０から状態情報を受け付けると、状態情報から取得した機器ＩＤを含む検知情報を、機器管理装置１１０に送信する。この検知情報には、例えば、第１の仲介装置１２０−１を識別する仲介装置ＩＤ１、プロジェクタ１３０の機器ＩＤ、及びプロジェクタ１３０の管理情報を管理する第２の仲介装置１２０−２を識別する仲介装置ＩＤ２等が含まれる。
【０１５７】
上記の処理により、本実施形態では、検知情報にプロジェクタ１３０の管理情報を管理する第２の仲介装置１２０−２の仲介装置ＩＤ２が含まれているので、例えば、図８のステップＳ８０５に示す仲介装置１２０を特定する処理を容易にすることができる。
【０１５８】
なお、ステップＳ８０６以降の処理は、図８に示す第１の実施形態に係る機器管理システムの処理と同様である。
【０１５９】
以上、本実施形態によれば、機器管理装置１１０は、プロジェクタ１３０の管理情報を管理する仲介装置１２０を特定する処理を容易にし、処理を高速化することができる。
【０１６０】
［第４の実施形態］
図１６は、第４の実施形態に係るプロジェクタの検知処理の例を示すシーケンス図である。本実施形態では、例えば、仲介装置１２０−１は、ローカルネットワーク（第１のＬＡＮ１５０−１）内の各電子機器から機器情報を取得し、取得した機器情報を用いて、記憶部６２５に記憶した機器管理情報Ｂ３０４を更新する。
【０１６１】
また、仲介装置１２０−１は、仲介装置１２０−１が管理している電子機器とは異なる電子機器を検知した場合、検知された電子機器の機器ＩＤを含む検知情報を機器管理装置１１０に通知する。
【０１６２】
なお、図１６に示すプロジェクタの検知処理において、第１の仲介装置１２０−１は、２つのプロジェクタ１３０−１、１３０−２と通信可能であるものとする。また、第１の仲介装置１２０−１の機器管理部Ｂ６２３は、プロジェクタ１３０−１の管理情報を管理しており、プロジェクタ１３０−２の管理情報を管理していないものとして、以下の説明を行う。
【０１６３】
ステップＳ１６０１において、仲介装置１２０−１の機器管理部Ｂ６２３は、通信可能なプロジェクタ１３０−１に対して、例えば、ＳＮＭＰ（Simple Network Management Protocol）を用いて、機器情報（管理情報）の取得を要求する。
【０１６４】
ステップＳ１６０２において、プロジェクタ１３０−１の状態情報送信部６３２は、プロジェクタ１３０の機器情報を、要求元の仲介装置１２０−１に送信する。
【０１６５】
ステップＳ１６０３において、仲介装置１２０−１の機器管理部Ｂは、プロジェクタ１３０−１から受信した機器情報に基づいて、プロジェクタ１３０−１が、第１の仲介装置１２０−１が管理しているプロジェクタであるかを判断する。ここでは、プロジェクタ１３０−１は、第１の仲介装置１２０−１が管理しているプロジェクタであると判断される。
【０１６６】
ステップＳ１６０４において、仲介装置１２０−１の機器管理部Ｂは、プロジェクタ１３０−１から取得した機器情報を用いて、機器管理情報Ｂ３０４を更新する。
【０１６７】
ステップＳ１６０５において、仲介装置１２０−１の機器管理部Ｂ６２３は、通信可能な別のプロジェクタ１３０−２に対して、例えば、ＳＮＭＰを用いて、機器情報の取得を要求する。
【０１６８】
ステップＳ１６０６において、プロジェクタ１３０−２の状態情報送信部６３２は、プロジェクタ１３０の機器情報を、要求元の仲介装置１２０−１に送信する。
【０１６９】
ステップＳ１６０７において、仲介装置１２０−１の機器管理部Ｂは、プロジェクタ１３０−２から受信した機器情報に基づいて、プロジェクタ１３０−２が、第１の仲介装置１２０−１が管理しているプロジェクタであるかを判断する。ここでは、プロジェクタ１３０−２は、第１の仲介装置１２０−１が管理しているプロジェクタではないと判断される。
【０１７０】
ステップＳ１７０８において、第１の仲介装置１２０−１の検知情報送信部６２２は、第１の仲介装置１２０−１が管理情報を管理していないプロジェクタ１３０−２の機器ＩＤを含む検知情報を、機器管理装置１１０に送信する。
【０１７１】
上記の処理により、本実施形態に係る仲介装置１２０−１は、プロジェクタ１３０等の電子機器が状態情報を送信する機能を有していない場合でも、管理情報を有していない電子機器を検知し、検知情報を機器管理装置１１０に送信することができるようになる。
【符号の説明】
【０１７２】
１００      機器管理システム
１１０      機器管理装置
１２０      仲介装置
１３０      プロジェクタ（電子機器の一例）
６１２      検知情報受信部
６１３      仲介装置特定部
６１４      管理情報取得部
６１５      管理情報通知部
６１６      仲介装置管理部
６１７      機器管理部Ａ（第１の機器管理部）
６２２      検知情報送信部
６２３      機器管理部Ｂ（第２の機器管理部）
６２５      記憶部
６３２      状態情報送信部
【先行技術文献】
【特許文献】
【０１７３】
【特許文献１】特開２０００−２７６５４３号公報
【図１】
2018005277.tif 000003
【図２】
2018005277.tif 000004
【図３】
2018005277.tif 000005
【図４】
2018005277.tif 000006
【図５】
2018005277.tif 000007
【図６】
2018005277.tif 000008
【図７】
2018005277.tif 000009
【図８】
2018005277.tif 000010
【図９】
2018005277.tif 000011
【図１０】
2018005277.tif 000012
【図１１】
2018005277.tif 000013
【図１２】
2018005277.tif 000014
【図１３】
2018005277.tif 000015
【図１４】
2018005277.tif 000016
【図１５】
2018005277.tif 000017
【図１６】
2018005277.tif 000018